(57)【要約】      （修正有）【課題】フレームに対して正確にノイズを印加することができるようにした。【解決手段】プリアンブル走査部１１は、イーサネット（登録商標）フレームの検出を行い、このプリアンブル走査部１１で検出されたイーサネット（登録商標）フレームは、ＦＩＦＯバッファメモリ１２に一時的に蓄えられる。蓄える時間は、調整要素として設定（遅延設定）が可能で、この設定により、トリガ発生時間の調整ができる。ＦＩＦＯバッファメモリ１２で一時的に蓄えられたイーサネット（登録商標）フレームは、トリガ発生時間が調整されてフレームタイミング生成部１３に送られ、ここで、トリガ生成用のタイミングが生成されて、トリガ出力が送出される。ＦＣＳ検査部１４ではイーサネット（登録商標）フレームのＦＣＳが検査され、正当なフレームであるかを認識する。【選択図】図１
2010175250.tif 000002
【特許請求の範囲】
【請求項１】
ノイズシミュレータ部からノイズ試験信号が供給されるノイズ印加用アダプタと、
フレームタイミング信号を送信するコンピュータと、
被試験体とをそれぞれ伝送線に接続し、
前記ノイズ印加用アダプタから印加されるノイズ試験信号と、前記コンピュータからのフレームタイミング信号とが、それぞれ前記被試験体に与えられて伝送線ノイズ試験が行なわれる伝送線ノイズ試験装置であって、
前記コンピュータから送信されるフレームタイミング信号が与えられ、そのフレームタイミング信号が、予め設定されたフレームであるかを検出するプリアンブル走査部と、
このプリアンブル走査部で検出されたフレームを一時蓄え、この蓄える時間を設定してトリガ発生時間を調整するＦＩＦＯバッファメモリと、
このバッファメモリの出力が供給され、その出力のタイミングからトリガ生成用のタイミングを生成して、前記ノイズシミュレータ部にトリガ出力を与えるフレームタイミング生成部と、
を備えたことを特徴とする伝送線ノイズ試験用トリガ生成装置。
【請求項２】
前記プリアンブル走査部で検出したフレームのＦＣＳを検査してそのフレームが正当であるか判断するＦＣＳ検査部を設けたことを特徴とする請求項１記載の伝送線ノイズ試験用トリガ生成装置。
【発明の詳細な説明】
【技術分野】
【０００１】
本発明は、ＬＡＮの中核を成すスイッチングハブ装置についてのハードウェアによる伝送線ノイズ試験装置に係り、特に、イーサネット（登録商標）により構成されるＬＡＮに使用されるＬＡＮスイッチ装置についてのハードウェアによる伝送線ノイズ試験用トリガ生成装置に関するものである。
【背景技術】
【０００２】
伝送線ノイズ試験は、ハブ製品としてのノイズ耐量を高めるための諸対策を実施するために行われる。この伝送線ノイズ試験は、ＩＥＣ６１０００等に規定されたノイズ試験に則って行われることにより、ハブ製品が公的規格に沿って試験されていることを示している。例えば、ＰＣ間にて疎通確認伝送を行い、成功した伝送回数をカウントすることにより、ハブ製品の耐ノイズ性が評価される。
【０００３】
このように、スイッチ関連製品の伝送線ノイズ試験においては、他の伝送線試験と同様に、ノイズシミュレータ部が生成するスパイクノイズを、被試験体（ＬＡＮスイッチ装置）に接続された伝送線に静電結合などで印加する方式を採用している。
【０００４】
図４は、従来の伝送線ノイズ試験装置の基本的な構成図で、１はノイズを送出するノイズシミュレータ部、２はノイズシミュレータ部１からのノイズ出力を規定のインピーダンスで終端し、規定のノイズ波形が次段のノイズ印加用アダプタ３に正しく印加されるようにする終端抵抗である。ノイズ印加用アダプタ３は、２枚の金属板とノイズ入力部から構成されたもので、このアダプタ３は、金属板間に伝送ライン８を挟み込むことにより、伝送ライン８にノイズを重畳するものである。４，５は伝送フレームを定期的に発信するコンピュータ（ＰＣ）、６は被試験ハブ、７は対向ハブで、これらは、伝送ライン８によりそれぞれ接続されている。
【先行技術文献】
【特許文献】
【０００５】
【特許文献１】特開平０３−０７８６６６号公報
【発明の概要】
【発明が解決しようとする課題】
【０００６】
上述したスイッチ関連製品のノイズ試験における問題点は、ノイズ印加タイミングとフレーム送信タイミングとが一致しないことにある。以下この点について、図５（ａ），（ｂ）により述べる。
【０００７】
図５（ａ）は試験装置が送信するイーサネットの一般的なフレーム構成の説明図で、そのフレーム構成は、宛先アドレスが６バイト、送信元アドレスが６バイト、タイプが２バイト、データが４６〜１５００バイト、ＦＣＳ（フレームチェックシーケンス）が４バイトとなっている。
【０００８】
また、図５（ｂ）は伝送線ノイズ試験におけるフレームタイミングとノイズ印加タイミングとの関係を示す送信間隔の説明図で、この図５（ｂ）に上向き矢印で示すノイズシミュレータ部１が発生するノイズ印加タイミングとフレームタイミングとは互いに非同期であるため、ノイズがフレーム自体に印加されることはまれである。また、フレーム間（フレームｎとフレームｎ＋１の間，フレームｎ＋１とフレームｎ＋２の間）には、隙間があるとともに、ノイズシミュレータ部１は、発信間隔とは無関係にノイズを出力するために、ノイズ（図示矢印ｂ１、ｂ２）がフレーム間の隙間に印加されることが生じてくる。このため、伝送線ノイズ印加試験において、ノイズ耐量値を定量的に測定することは困難である。
【０００９】
上記困難に加えて、イーサネットの伝送速度とノイズ試験装置の動作速度との間に乖離があるため、任意のタイミングにてノイズを発生させることが困難である。
【００１０】
本発明の目的は、上記の事情に鑑みてなされたもので、フレームタイミングを検出できるようにしてフレームに対して正確にノイズを印加することができる伝送線ノイズ試験用トリガ生成装置を提供することにある。
【課題を解決するための手段】
【００１１】
上記の課題を達成するために、請求項１に係る発明は、ノイズシミュレータ部からノイズ試験信号が供給されるノイズ印加用アダプタと、フレームタイミング信号を送信するコンピュータと、被試験体とをそれぞれ伝送線に接続し、前記ノイズ印加用アダプタから印加されるノイズ試験信号と、前記コンピュータからのフレームタイミング信号とが、それぞれ前記被試験体に与えられて伝送線ノイズ試験が行なわれる伝送線ノイズ試験装置であって、
前記コンピュータから送信されるフレームタイミング信号が与えられ、そのフレームタイミング信号が、予め設定されたフレームであるかを検出するプリアンブル走査部と、このプリアンブル走査部で検出されたフレームを一時蓄え、この蓄える時間を設定してトリガ発生時間を調整するＦＩＦＯバッファメモリと、このバッファメモリの出力が供給され、その出力のタイミングからトリガ生成用のタイミングを生成して、前記ノイズシミュレータ部にトリガ出力を与えるフレームタイミング生成部と、を備えたことを特徴とする。
【００１２】
また、請求項１に係る発明は、請求項２において、前記プリアンブル走査部で検出したフレームのＦＣＳを検査してそのフレームが正当であるか判断するＦＣＳ検査部を設けたことを特徴とする。
【発明の効果】
【００１３】
本発明によれば、伝送線ノイズ試験用トリガ生成装置を使用することにより、フレームタイミングを検出できるために、フレームに対して正確にノイズを印加することが可能になり、また、ノイズ印加が確実になるため、ノイズ耐量値の定量性が向上し、さらに、受信したフレームを蓄えることが可能であるので、応答速度が遅いノイズ試験装置にも対応が可能となる。
【図面の簡単な説明】
【００１４】
【図１】図１は、伝送線ノイズ試験装置の実施例１を示すトリガ生成装置の構成図である。
【図２】図２は、トリガ生成装置が適用される伝送線ノイズ試験装置の構成図である。
【図３】図３は、フレームタイミングとノイズ印加タイミングの関係を示す送信間隔のタイミングチャートである。
【図４】図４は、従来の伝送線ノイズ試験装置の基本的な構成図である。
【図５】図５（ａ）は、イーサネットの一般的なフレーム構成の説明図、図５（ｂ）は、フレームタイミングとノイズ印加タイミングの関係を示す送信間隔の説明図である。
【発明を実施するための形態】
【００１５】
以下本発明の実施例を図面に基づいて説明する。
【実施例１】
【００１６】
図１は本発明の実施例１を示すトリガ生成装置の構成図で、図１において、１１はプリアンブル走査部である。プリアンブル走査部１１は、イーサネットフレームの検出を行い、このプリアンブル走査部１１で検出されたイーサネットフレームは、ＦＩＦＯバッファメモリ１２に一時的に蓄えられる。蓄える時間は、調整要素として設定（遅延設定）が可能で、この設定により、トリガ発生時間の調整ができる。
【００１７】
ＦＩＦＯバッファメモリ１２で一時的に蓄えられたイーサネットフレームは、トリガ発生時間が調整されてフレームタイミング生成部１３に送られ、ここで、トリガ生成用のタイミングが生成されて、トリガ出力が送出される。１４はＦＣＳ検査部で、このＦＣＳ検査部１４で検出されたイーサネットフレームのＦＣＳが検査され、正当なフレームであるかを認識し、異なるフレームの場合には、図示しない報知部にて報知する。
【００１８】
図２は上記実施例１であるトリガ生成装置２１が適用される伝送線ノイズ試験装置の構成図で、この試験装置は、図４で示した伝送線ノイズ試験装置と同一部分には同一符号付して示す。図２において、トリガ生成装置２１は、イーサネットフレームがコンピュータ（ＰＣ）４から供給され、上記プリアンブル走査部１１、ＦＩＦＯバッファメモリ１２、フレームタイミング生成部１３で生成されたトリガ出力が、ノイズシミュレータ部１の外部トリガ入力に供給される。これにより、フレームタイミングにてノイズのトリガを、図３に矢印で示すように正確にフレームに同期させることができる。
【００１９】
図３は、上記実施例１であるトリガ生成装置により生成されるノイズ印加タイミングを示す送信間隔のタイミングチャートで、このタイミングチャートから各フレームに対して正確にノイズを印加することが可能になる。
【符号の説明】
【００２０】
１１…プリアンブル走査部
１２…ＦＩＦＯバッファメモリ
１３…フレームタイミング生成部
１４…ＦＣＳ検査部
２１…トリガ生成装置
【図１】
2010175250.tif 000003
【図２】
2010175250.tif 000004
【図３】
2010175250.tif 000005
【図４】
2010175250.tif 000006
【図５】
2010175250.tif 000007